(57)【特許請求の範囲】
【請求項１】
広幅の帯状シートをスリッターで縦方向に切断して複数の狭幅シートに分割し、分割した狭幅シートを上下へ振り分け、夫々の巻芯のまわりに巻取って巻取ロールを形成し、その巻取ロールを、昇降可能な巻取ロール受け具を上下２段に備えた巻取ロール搬出台車によって巻取場所から後方の待機位置に搬出した後、前記巻取ロール搬出台車の後方にある受取台上へ転出させる、巻取ロール搬出台車つきシート分割巻取装置であって、帯状シート長手方向かつ水平方向に案内される、互いに異なる高さに配設した帯状シート幅方向の下側横部材及び上側横部材と、前記巻芯の両側に配置され該巻芯端部に係合した状態で該巻芯を前記下側横部材より高い位置で支持することができる、前記下側横部材の上側沿いに帯状シート幅方向に位置づけ可能に設けた下側巻取アームと、前記巻芯の両側に配置され該巻芯端部に係合した状態で該巻芯を前記上側横部材より低い位置で支持することができる、前記上側横部材の下側沿いに帯状シート幅方向に位置づけ可能に設けた上側巻取アームと、前記巻取ロールの半径増加に従い、巻取ロールに接触圧を付与するためのタッチローラから巻芯が離反するよう、前記下側横部材及び上側横部材を移動させる手段とを備え、前記巻取ロール受け具は、前記巻取ロール搬出台車の台車に巻取ロール幅方向に間隔をおいて立設した柱に装着してあり、かつ昇降して所要の高さにつくことができる左右の昇降枠と、前記左右の昇降枠間に巻取ロールの幅方向かつ水平方向に渡し設けた支軸と、前記支軸の外周に、それぞれ回転可能にかつ支軸長手方向にスライド可能に装着してある、前記昇降枠より前方に突き出た複数の腕部材と、前記昇降枠間に渡し設けた、前記複数の腕部材を略水平になるように支えることができる梁部材と、前記複数の腕部材を押上げて前記略水平姿勢から先端が上昇する方向に一斉に傾けることができる、巻取領域の略全幅に渡り前記梁部材に沿って延びた可動バーとを備えることを特徴とする巻取ロール搬出台車つきシート分割巻取装置。
【発明の詳細な説明】
【０００１】
【発明の属する技術分野】
本発明は、広幅の帯状シートをスリッターで縦方向に切断して複数の狭幅シートに分割し、その狭幅シートを上下に振り分け、個々の巻芯のまわりに巻取って多様な幅の巻取ロールを形成し、その巻取ロールを巻取ロール搬出台車で巻取場所から搬出するシート分割巻取装置に関する。
【０００２】
【従来の技術】
従来、上述のようなシート分割巻取装置として、帯状シートの進行方向と直交する方向に水平な状態で上下２段に支持部材を機枠に回動自在に装着し、上部支持部材に上部巻取機構を懸垂した状態で取り付けると共に、下部支持部材に下部巻取機構を倒立状に装着した構成とし、上下２段に配置され支持部材沿いに延びた昇降可能な巻取ロール受け具を備える巻取ロール搬出台車を各支持部材の下流側に設け、巻取位置で巻取機構により狭幅シートを巻取って巻取ロールを形成した後、支持部材と共に巻取機構を取出操作位置に回動させ、その巻取機構上の巻取ロールを、巻取ロール搬出台車の受け具上に解放して巻取位置から取出すものが提案されている（特開平４−３０３３５２号公報参照）。
【０００３】
【発明が解決しようとする課題】
とろこが、上述のシート分割巻取装置では次のような不都合がある。即ち、巻取機構を取り付けた支持部材が回動中心を機枠に回動自在に装着してあるため、その支持部材が、回動駆動機構におけるがたつき等に起因して僅かな回転角度の範囲で自由に回動する状態になる。しかし、その回転角度が僅かであっても、回動中心から大きく離れた、巻取機構上の巻芯支持位置では、がたつきが拡大される。したがって、巻取中に巻芯は振動状態となって巻崩れ等の巻取不良を生じ易い。また巻取機構を取り付けた支持部材の回動駆動機構が必要であり、巻取部の構造が複雑化する。
【０００４】
そこで、本発明は、広幅の帯状シートをスリッターで縦方向に切断して複数の狭幅シートに分割し、分割した狭幅シートを上下へ振り分け、夫々の巻芯のまわりに巻取って巻取ロールを形成し、その巻取ロールを、昇降可能な巻取ロール受け具を上下２段に備えた巻取ロール搬出台車によって巻取場所から搬出するシート分割巻取装置であって、多様な幅の巻取ロールを高速で品質よく形成し、その巻取ロールを短時間で搬出することができる、構造が簡単な、巻取ロール搬出台車つきシート分割巻取装置を提供することを目的としている。
【０００５】
【課題を解決するための手段】
本発明は、  広幅の帯状シートをスリッターで縦方向に切断して複数の狭幅シートに分割し、分割した狭幅シートを上下へ振り分け、夫々の巻芯のまわりに巻取って巻取ロールを形成し、その巻取ロールを、昇降可能な巻取ロール受け具を上下２段に備えた巻取ロール搬出台車によって巻取場所から後方の待機位置に搬出した後、前記巻取ロール搬出台車の後方にある受取台上へ転出させる、巻取ロール搬出台車つきシート分割巻取装置であって、帯状シート長手方向かつ水平方向に案内される、互いに異なる高さに配設した帯状シート幅方向の下側横部材及び上側横部材と、前記巻芯の両側に配置され該巻芯端部に係合した状態で該巻芯を前記下側横部材より高い位置で支持することができる、前記下側横部材の上側沿いに帯状シート幅方向に位置づけ可能に設けた下側巻取アームと、前記巻芯の両側に配置され該巻芯端部に係合した状態で該巻芯を前記上側横部材より低い位置で支持することができる、前記上側横部材の下側沿いに帯状シート幅方向に位置づけ可能に設けた上側巻取アームと、前記巻取ロールの半径増加に従い、巻取ロールに接触圧を付与するためのタッチローラから巻芯が離反するよう、前記下側横部材及び上側横部材を移動させる手段とを備え、前記巻取ロール受け具は、前記巻取ロール搬出台車の台車に巻取ロール幅方向に間隔をおいて立設した柱に装着してあり、かつ昇降して所要の高さにつくことができる左右の昇降枠と、前記左右の昇降枠間に巻取ロールの幅方向かつ水平方向に渡し設けた支軸と、前記支軸の外周に、それぞれ回転可能にかつ支軸長手方向にスライド可能に装着してある、前記昇降枠より前方に突き出た複数の腕部材と、前記昇降枠間に渡し設けた、前記複数の腕部材を略水平になるように支えることができる梁部材と、前記複数の腕部材を押上げて前記略水平姿勢から先端が上昇する方向に一斉に傾けることができる、巻取領域の略全幅に渡り前記梁部材に沿って延びた可動バーとを備えることを特徴とする。
【０００６】
帯状シート長手方向かつ水平方向に案内される、互いに異なる高さに配設した帯状シート幅方向の下側横部材及び上側横部材を備え、巻取ロールの半径増加に従い、巻取ロールに接触圧を付与するためのタッチローラから巻芯が離反するよう、前記下側横部材及び上側横部材を移動させるようにしたので、上側横部材及び下側横部材と共に巻取アームを回動させる必要が無くなって、巻芯が巻取中に振動しにくくなり、高品質の巻取ロールを高速運転で形成することができるようになる。
【０００７】
また、下側巻取アームは、巻芯の両側に配置され該巻芯端部に係合した状態で該巻芯を前記下側横部材より高い位置で支持し、上側巻取アームは、巻芯の両側に配置され該巻芯端部に係合した状態で該巻芯を前記下側横部材より高い位置で支持するので、上下の巻取位置の間隔が大きくならず、切断位置から巻取位置までの狭幅シートの走行経路を比較的短くすることができ、巻取位置での狭幅シートの横ズレ量を小さくすることができる。ところが、このように巻芯を支持すると、従来の巻取ロール受け具は、左右のフレームの間で支持部材に平行に伸びているので、下側巻取アームが邪魔になって、巻取ロールの受け具を巻取ロールの下方に差し入れることができない。しかし、本発明では、巻取ロール搬出台車における下側の巻取ロール受け具は、巻取ロール幅方向に移動可能な、前方に伸びた腕部材を備えているので、その腕部材の先端部を、巻取ロールの両側に配置されその巻取ロールを支持している一対の下側巻取アームの間に差し込んで、巻取ロールの外周下部を支えることができる。そして巻取ロールの幅が多様に変わっても、巻取ロールを安定性よく支持可能な位置に腕部材を短時間で移動することができる。
【０００８】
【発明の実施の形態】
次に本発明の実施の形態について図面を参照して説明する。図１は本発明の一実施態様に係る巻取ロール搬出台車つきシート分割巻取装置に係る側面図であり、図２は図１におけるＡ−Ａ矢視図である。
【０００９】
図１において、巻取ロール搬出台車つきシート分割巻取装置は、図示しない原反ロールから巻き戻される広幅の帯状シートＳ０をスリッターＫで縦方向に切断して複数の狭幅シートＳに分割し、分割した狭幅シートＳを上下の巻取位置へ振り分け、夫々の巻芯Ｃのまわりに巻取って巻取ロールＲを形成し、その巻取ロールＲを、巻取ロール搬出台車１で上下の巻取場所から搬出する。
【００１０】
スリッターＫは、広幅の帯状シートＳ０の幅方向におる両側に設置した固設機枠２の間に設けてあり、帯状シート幅方向に並んだ複数の切断刃Ｋａをもち、夫々の切断位置を多様に変えることができる。また上下の巻取位置には巻取ロールＲに接触圧を付与するためのタッチローラ３が配設してある。このタッチローラ３は、各巻取ロールＲ毎に設けてあり、それぞれ一対のタッチローラ支持装置４により両端部を支持してある。タッチローラ支持装置４は、固設機枠２の間に渡し設けた案内支持梁５にそれぞれ帯状シート幅方向に位置づけ可能に装着し、所要の押圧力でタッチローラ３を巻取ロールＲへ個々に押しつけることができるようになっている。
【００１１】
固設機枠２の下流側の基盤６上には、帯状シート長手方向かつ水平方向に伸長したレール７が固着してある。このレール７に、帯状シート幅方向に伸びた下側横部材８が、巻取中にがたつかないよう上下方向及び帯状シート幅方向に拘束した状態でスライド可能に装着してある。また下側横部材８の両端部に固定して立設した縦部材９の間に、下側横部材８と平行に上側横部材１０が固設してある。そして下側横部材８は下側のタッチローラ３より低い位置にあり、上側横部材１０は上側のタッチローラ３より高い位置にある。したがって、下側横部材８及び上側横部材１０は、互いに異なる高さに配設してあり、帯状シート長手方向かつ水平方向に案内される。
【００１２】
下側横部材８には、帯状シート幅方向に延びたレール１１が固設してあり、このレール１１には、巻芯Ｃを下側のタッチローラ３と同じ高さに支持するための下側巻取アーム１２がスライド可能に装着してある。また上側横部材１０には、帯状シート幅方向に延びたレール１３が固設してあり、このレール１３には、巻芯Ｃを上側のタッチローラ３と同じ高さに支持するための上側巻取アーム１４がスライド可能に装着してある。そして下側巻取アーム１２及び上側巻取アーム１４は、それらをレール１１、レール１３沿いに移動して所要位置につけ、それぞれ、その位置で図示しないクランプ手段により固定できるようになっている。
【００１３】
下側巻取アーム１２、上側巻取アーム１４は、巻芯Ｃの端部に係合して巻芯Ｃを支持する公知の巻芯チャック１２ａ、１４ａを有しており、各々一対となって巻芯チャック１２ａ、１４ａを巻芯Ｃの端部に係合させることにより巻芯Ｃを支持するので、巻芯Ｃを短時間で着脱することができる。また、一対になる下側巻取アーム１２の少なくとも片方、及び一対になる上側巻取アーム１４の少なくとも片方には、巻取中に巻芯チャック１２ａ、１４ａを回転駆動することにより巻芯Ｃを回転させる、図示しない巻取駆動機構が備えてある。
【００１４】
巻取中、巻取ロールＲの半径増加に従い、タッチローラ３から巻芯Ｃが離反するようにするために、下側横部材８には、基盤６上に設置した公知の移動駆動機構１５が連結されている。この移動駆動機構１５は、下側横部材８をレール７の方向に押したり引いたりすることができる。
【００１５】
この実施態様の場合、下側及び上側横部材８、１０と両側の縦部材９、９により窓枠形の機枠が構成されており、上側巻取アーム１４は上側横部材１０の下側沿いに移動し、下側巻取アーム１２は下側横部材８の上側沿いに移動するようになっているので、巻取部の前後方向の幅を狭くすることができる。また下側横部材８と上側横部材１０とを共通の移動駆動機構１５で駆動することができるので、巻取部構造が簡単になる。
【００１６】
巻取ロール搬出台車１は、巻取場所から解放した巻取ロールＲを載せておくための、上下に配置した巻取ロール受け具１６を備える。上下の巻取ロール受け具１６は、台車１７の巻取ロール幅方向に間隔をおいてに立設した柱１８に移動可能に装着した左右の昇降枠１９と、この昇降枠１９間に渡し設けた梁部材２０とをそれぞれ備える。そして左右の柱１７沿いに設けたラック２１に噛み合うピニオン２２が左右の昇降枠１９に装着してあり、このピニオン２２を同期して回転駆動することができる、図示しない駆動機構を設けてあるので、上下の昇降枠１９及び梁部材２０は、個々に昇降して所要の高さにつくことができる。
【００１７】
更に、巻取ロール受け具１６は、巻取ロールＲを受け取るための、前方へ突き出た複数の腕部材２３を備えている。この腕部材２３は、一対となる下側巻取アーム１２及び上側巻取アーム１４に対して一対ずつ設けてある。そして左右の昇降枠１９の間に、巻取ロールＲの幅方向かつ水平方向に渡し設けた支軸２４の外周に、それぞれ回動可能かつ支軸長手方向にスライド可能に装着してあり、それがほぼ水平になるように、梁部材２０で支えてある。図示の腕部材２３は、それに孔を設け、円形断面の支軸２４の外周にすきまばめしてある。
【００１８】
また巻取ロール受け具１６は、図４に示すように、各腕部材２３を、その先端部が上昇するように一斉に傾けるための、梁部材２０沿って延びた可動バー２５を備える。可動バー２５は、これに押し上げ力を与えるための流体圧シリンダ装置２６を複数箇所に有している。この流体圧シリンダ装置２６の一端は可動バー２５の下縁部に連結し、他の一端は梁部材２０に連結してある。また可動バー２５の上縁部は、腕部材２３の下面に設けた凹部に係合している。可動バー２５は巻取領域の略全幅に渡っているので、腕部材２３を支軸２４上のどのような位置に配置しても、その腕部材２３を傾けることができる。
【００１９】
上述のように構成したシート分割巻取装置で、所要幅の狭幅シートＳを巻取るには、その幅に応じた各切断位置にスリッターＫの切断刃Ｋａをつけ、下側に振り分けられる狭幅シートＳを巻取るための巻芯Ｃの両側に下側巻取アーム１２を位置づけ、上側に振り分けられる狭幅シートＳを巻取るための巻芯Ｃの両側に上側巻取アーム１４を位置づけ、その下側巻取アーム芯１２、上側巻取アーム１４で各巻芯Ｃを支持する。
【００２０】
一方、巻取ロール搬出台車１では、その待機位置で、巻取ロール受け具１に備えた各一対の腕部材２３を図1に示す略水平の巻取ロール受取姿勢とし、予め下側巻取アーム１２間に装着した巻芯Ｃ、上側巻取アーム１４間に装着した巻芯Ｃに対応するように巻取ロール幅方向に必要な間隔で位置づけると共に、各巻取ロール受け具１を昇降させ、腕部材２３が巻取ロールＲの下方空間に入ることができるように、その高さを調節しておく。
【００２１】
上下の巻取位置で所要長さの狭幅シートＳを巻芯Ｃのまわりに巻取って巻取ロールＲが形成されると、下側横部材８及び上側横部材１０を所定の距離だけ後退させる。そして各巻取ロールＲにつながっている狭幅シートＳを、固定機枠２に設けた公知の横断切断手段によりタッチローラ３の直後で切断すると共に、巻取ロール搬出台車１を前進させ、腕部材２３の先端部が巻取ロールの下方に移動したときその前進を止める。この状態を図３、図４に示す。そして、腕部材２３の先端部が巻取ロールＲの下部に接触するか、又は微小の間隔をおいて接近するまで、上下の巻取ロール受け具１６を上昇させた後、下側巻取アーム１２及び上側巻取アーム１４から巻芯Ｃを解放する。そうすると、各巻取ロールＲはそれぞれの腕部材２３の先端付近に一斉に載る。その後、巻取ロール搬出台車１を待機位置まで後退させる。これで巻取ロールＲが上下の巻取場所から一斉に搬出される。
【００２２】
巻取ロール搬出台車１が後退すると、下側巻取アーム１２、上側巻取アーム１４に新しい巻芯Ｃを装着し、その巻芯Ｃ上に狭幅シートＳの上流側の切断端を止めて、次の巻取りを開始できるように準備する。
【００２３】
また巻取ロール搬出台車１が待機位置まで後退して停止すると、下側の巻取ロール受け具１６を昇降させることにより腕部材２３の高さと受取台２７との高さとを合わせ、流体圧シリンダ装置２６を作動させ可動バー２５を上昇させて腕部材２３を図５に鎖線示すように傾け、巻取ロールＲを受取台２７上へ転出させ、その後、下側及び上側の巻取ロール受け具１６を下降させて上側の巻取ロール受け具１６の腕部材２３の高さと受取台２７の高さを合わせ、その腕部材２３を下側の腕部材２３と同様に傾け、巻取ロールＲを受取台２７へ転出させる。
【００２４】
図２に示す実施態様では、下側横部材７には下側巻取アーム１２を一対しか装着してないが、本発明では、巻取条件に応じて二対以上の下側巻取アームを装着してもよく、また上側横部材に装着する巻芯支持装置の数も二対に限らない。また、必要に応じて下側横部材を基盤上に設けたレールで支持案内し、上側横部材を固設機枠の上部に設けたレールで支持案内するようにしてもよい。また巻取ロール受け具は、巻取ロールの幅に応じて、それを一つの腕部材で受け取る場合や、３つ以上の腕部材で受け取る場合もあり得る。
【００２５】
【発明の効果】
本発明では、上側巻取アーム、下側巻取アームを支持する上側横部材及び下側横部材を帯状シート長手方向かつ水平に移動可能に設けることにより、巻芯の振動が生じ易い回動可能な巻取アームを排除したので、堅牢な巻取アームを得ることができ、高品質の巻取ロールを高速巻取運転により得ることができるようになる。また、回動可能な巻取アームを排除する代わりに、巻取ロール搬出台車の巻取ロール受け具を、巻取ロール搬出台車の台車に巻取ロール幅方向に間隔をおいて立設した柱に装着してあり、かつ昇降して所要の高さにつくことができる左右の昇降枠と、前記左右の昇降枠間に巻取ロールの幅方向かつ水平方向に渡し設けた支軸と、前記支軸の外周に、それぞれ回転可能にかつ支軸長手方向にスライド可能に装着してある、前記昇降枠より前方に突き出た複数の腕部材と、前記支軸に平行に前記昇降枠間に渡し設けた、前記複数の腕部材を略水平になるように支えることができる梁部材と、前記複数の腕部材を押上げて前記略水平姿勢から先端が上昇する方向に一斉に傾けることができる、巻取領域の略全幅に渡り前記梁部材に沿って延びた可動バーとを備えるものにすることにより、上下の巻取位置の多様な幅の巻取ロールを一斉に確実に搬出することができ、しかも巻取ロール受け具の構造を簡素化できると共に巻取ロールを巻取ロール受け具から降ろす作業が省力化できる。したがって、設置床面積が比較的小さく、構造が簡単で生産性の高いシート分割巻取装置を提供することができる。
【図面の簡単な説明】
【図１】  本発明の一実施態様に係る巻取ロール搬出台車つきシート分割巻取装置に係る側面図である。
【図２】  図１におけるＡ−Ａ矢視図である。
【図３】  巻取ロール搬出台車が巻取ロール受取位置へ移動した状態を示す側面図である。
【図４】  下側の巻取ロール受け具を示す平面図である。
【図５】  巻取ロールの巻取ロール受け具からの転出動作を説明するための説明図である。
【符号の説明】
Ｃ  巻芯
Ｋ  スリッター
Ｒ  巻取ロール
Ｓ  狭幅シート
１  巻取ロール搬出台車
８  下側横部材
１０  上側横部材
１２  下側巻取アーム
１４  上側巻取アーム
１６  巻取ロール受け具
２３  腕部材
２４  支軸
２５  可動バー
【図１】
0004088946.tif 000002
【図２】
0004088946.tif 000003
【図３】
0004088946.tif 000004
【図４】
0004088946.tif 000005
【図５】
0004088946.tif 000006